(57)【特許請求の範囲】
【請求項１】
人体通信装置を携帯した二人の使用者が、人体接触によりデータを送受信する人体通信の指紋認証方法において、
送信するデータに対して公開情報、保護情報及び保安情報の夫々の通信モードのうち該当する１つの通信モードを、送信側において選ぶ段階であって、前記データは、既設定の保安レベルに従って指紋認証の必要がない公開情報と、指紋認証が必要な保護情報及び保安情報に分類されている、段階と、
前記選ばれた通信モードが前記公開情報の通信モードである場合に、
人体通信が可能か否かを確認するための通信開始知らせ信号を、前記送信側から受信側に送信する段階と、
前記通信開始知らせ信号に対する通信受諾信号を受信することに応答して、前記送信側から前記受信側に前記公開情報を送信する段階と、
前記選ばれた通信モードが前記保護情報の通信モードである場合に、
人体通信が可能か否かを確認するための通信開始知らせ信号を前記送信側から受信側に送信する段階と、
前記通信開始知らせ信号に対する通信受諾信号を受信することに応答して、前記送信側の前記人体通信装置の使用者の指紋情報を、前記送信側から前記受信側に送信する段階と、
前記指紋情報の送信に対する再度の通信受諾信号を受信することに応答して、前記送信側から前記受信側に前記保護情報を送信する段階と、
前記選ばれた通信モードが前記保安情報の通信モードである場合に、
人体通信が可能か否かを確認するための通信開始知らせ信号を前記送信側から受信側に送信する段階と、
前記通信開始知らせ信号に対する通信受諾信号を受信することに応答して、前記送信側の前記人体通信装置の前記使用者が、前記受信側の前記人体通信装置に配置された指紋認証部の指紋認証窓に、自己の指紋を接触して指紋認証を行う段階と、
前記受信側の前記指紋認証窓において前記接触により採取された前記送信側の前記人体通信装置の前記使用者の前記指紋と、前記保護情報の通信モードにおいて前記受信側の前記人体通信装置により受信され保存された前記送信側の前記人体通信装置の前記使用者の前記指紋情報とを、前記受信側において比較し、前記採取した前記指紋の真偽を判定し、前記判定した結果が‘真（Ｔｒｕｅ）’であれば、前記判定した結果を前記受信側から受信することに応答して、前記送信側から前記受信側に前記保安情報を送信する段階と、
を含んでなる人体通信の指紋認証方法。
【請求項２】
前記公開情報は、前記人体通信装置の前記使用者自身を知らせるための名刺、事業案内または広告のための資料であり、デジタル情報に変換されたデータであることを特徴とする請求項１に記載の人体通信の指紋認証方法。
【請求項３】
前記指紋情報は、前記人体通信装置の前記使用者自身の指紋を公認機関に登録して認証された指紋認証書であることを特徴とする請求項２１に記載の人体通信の指紋認証方法。
【請求項４】
前記選ばれた通信モードが前記保安情報の通信モードである場合に、前記採取した前記指紋の真偽を判定した結果が‘偽（Ｆａｌｓｅ）’であれば、前記判定した結果を前記受信側から受信することに応答して、前記送信側の前記人体通信装置の前記使用者が、前記受信側の前記指紋認証部に配置された前記指紋認証窓において再度自己の指紋を接触して指紋認証を行う段階をさらに含むことを特徴とする請求項１に記載の人体通信の指紋認証方法。
【請求項５】
人体通信装置を携帯した二人の使用者が、人体接触によりデータを送受信する人体通信の指紋認証方法において、
送信側において選ばれた通信モードの通信開始知らせ信号を、前記送信側から受信側において受信する段階であって、前記送信側において選ばれた通信モードは、公開情報、保護情報及び保安情報の夫々の通信モードのうち前記送信側から受信する情報に該当する１つの通信モードであり、前記情報は、既設定の保安レベルに従って指紋認証の必要がない公開情報、指紋認証が必要な保護情報及び保安情報に分類されている、段階と、
前記送信側において選ばれた通信モードが前記公開情報の通信モードである場合に、
前記通信開始知らせ信号に対して通信受諾の可否を前記受信側から前記送信側に送信する段階と、
前記送信側から、前記通信受諾の許可の信号である通信受諾信号の送信に対する前記公開情報を、前記受信側において受信する段階と、
前記送信側において選ばれた通信モードが前記保護情報の通信モードである場合に、
前記通信開始知らせ信号に対して通信受諾の可否を、前記受信側から前記送信側に送信する段階と、
前記送信側から、前記通信受諾の許可の信号である通信受諾信号の送信に対する前記送信側の前記人体通信装置の使用者の指紋情報を、前記受信側において受信する段階と、
前記受信側の前記人体通信装置において、前記指紋情報を保存する段階と
前記指紋情報の受信に応答して再度の通信受諾信号を、前記受信側から前記送信側に送信する段階と、
前記送信側から、前記再度の通信受諾信号に対する前記保護情報を、前記受信側において受信する段階と、
前記送信側において選ばれた通信モードが前記保安情報の通信モードである場合に、
前記通信開始知らせ信号に対して通信受諾の可否を前記受信側から前記送信側に送信する段階と、
前記受信側の前記人体通信装置に配置された指紋認証部の指紋入力窓を通じて入力される、前記送信側の前記人体通信装置の前記使用者の指紋を採取し、前記採取した指紋と、前記保護情報の通信モードにおいて前記受信側の前記人体通信装置により受信し保存した前記送信側の前記人体通信装置の前記使用者の前記指紋情報と、を比較して、前記採取した指紋の真偽を判定する段階と、
前記判定した指紋の真偽の結果を、前記受信側から前記送信側に送信する段階と、
前記判定した前記結果が‘真（Ｔｒｕｅ）’である場合に、前記判定した結果の送信に対する前記保安情報のデータを、前記送信側から前記受信側において受信する段階と、
を含んでなる人体通信の指紋認証方法。
【請求項６】
前記公開情報は、前記人体通信装置の使用者自身を知らせるための名刺、事業案内または広告のための資料であり、デジタル情報に変換されたデータであることを特徴とする請求項５に記載の人体通信の指紋認証方法。
【請求項７】
前記指紋情報は、前記人体通信装置の使用者自身の指紋を公認機関に登録して認証された指紋認証書であることを特徴とする請求項５に記載の人体通信の指紋認証方法。
【請求項８】
前記送信側において選ばれた通信モードが前記保安情報の通信モードである場合に、
前記採取した指紋の真偽を判定した結果が‘偽（Ｆａｌｓｅ）’であれば、前記受信側から前記送信側に指紋入力を再要請し、前記指紋入力窓を通じて再度入力される前記受信側の指紋を採取し、前記採取した指紋と前記保護情報の通信モードにおいて受信した前記指紋情報とを再度比較して前記採取した指紋の真偽を判定する段階をさらに含むことを特徴とする請求項５に記載の方法。
【発明の詳細な説明】
【技術分野】
【０００１】
本発明は、人体接触によりデータを送受信する人体通信の指紋認証方法に関し、より詳細には、人体を媒質とする人体通信環境において人体通信装置を携帯した二人の使用者が、人体の皮膚接触を通じて各使用者が所有しているデータを既設定の保安レベルに従って公開情報、保護情報及び保安情報に分類して通信することにおいて、保護水準の高い保護情報及び保安情報に対しては指紋情報の交換及び指紋認証を行ってから送受信することができる人体通信の指紋認証方法に関する。
【背景技術】
【０００２】
ＩＴ産業の大衆化が急速に変化する情報交流の環境において、個人、団体及び企業が保有している情報の保護、装置の動作保護、そして、インターネット商取引における使用者の認証は重要な技術的課題である。
【０００３】
現在の認証手段は、人体から得られる顔、目玉、指紋、静脈パターン等の生体情報を用いており、認証機関に登録された認証データと共に暗号化する方法が活用されている。
【０００４】
そして、最近、浮かび上がっている人体媒質を利用した人体通信では、人間同士の通信、又は人とＩＴ機器の入出力装置（プリンタ、デジタル・ディスプレイ、携帯用動画再生機、携帯用移動通信機器等）との通信手段が知られているが、現在実用化のための開発中にあり、特に、人同士の人体通信では両者が夫々主体の立場として人体通信する場合、無作為通信作動の制御及び情報保護のための認証方法とそれによる認証装置が必要である。
【０００５】
現在、このような人体通信に関する標準化も公表されておらず、ＩＥＥＥ８０２．１５  Ｗｏｒｋｉｎｇ  Ｇｒｏｕｐ  ＷＰＡＮ（Ｗｉｒｅｌｅｓｓ  Ｐｅｒｓｏｎａｌ  Ａｒｅａ  Ｎｅｔｗｏｒｋ）内でＢＡＮ（Ｂｏｄｙ  Ａｒｅａ  Ｎｅｔｗｏｒｋ）という副題で協議中にある。
【０００６】
ここで、人体通信とは、伝導性を有する人体を通信チャンネルとして利用し、人体と人体、又は人体と連結される機器の間に信号を伝達する技術のことをいい、人体及び人体の周りに発生する電界を利用する方法と、人体の皮膚の内部に直接デジタル信号を伝送する方法がある。
【０００７】
前者の方法は、人体と衣服等の表面上の電界を通信経路として使用し、後者の方法は、人体の皮膚に付着された電極を通じてデジタル信号を印加するとき、皮膚内部及び表皮を通信経路として利用して通信するものであり、本発明は、上記後者の方法に基づくものである。
【０００８】
人体通信の実用化の側面において、人体通信の主体者と通信対象（人又はＩＴ機器）間の認証過程は、人体通信の両側の情報を保護するために必須の条件である。
【０００９】
最近、人体通信の対象が電子機器（プリンタ）の場合、その電子機器をインターネット・ネットワークに連結させた通信環境で、使用者の識別及び認証のための指紋情報を通信ネットワーク上のデータベース（ＤＢ）に保存しておき、その指紋情報と電子機器に付着された指紋認識装置により現場で採取する指紋を比較して認証する方法が提示されている。しかし、上記方法は、指紋認証が必要な場合、ネットワーク上の顧客サーバーのデータベースに保存されている指紋情報を呼び出さなければならないという不便さがある。
【００１０】
一方、インターネット・ネットワーク環境の金融決済又は商取引する時の約定の認証ファイルを利用する場合には、現在の認証手続きのように暗号情報を入力するための入力装置（キーボード、キーパッド）が必要となり、人体通信の環境で活用する際は入力装置としての物理的サイズの制限及びキーイン（Ｋｅｙ−ｉｎ）に時間がかかって使用上に不便さがある。
【発明の概要】
【発明が解決しようとする課題】
【００１１】
本発明は、上述の従来技術の問題点を解決するためのもので、その目的とするところは、二人の間に人体通信が行われるとき、当事者の両方が携帯した人体通信装置により指紋情報（例えば、指紋認証書）を直接交換し、人体通信装置に付着された指紋認証部により現場で指紋を採取し、交換した指紋情報と採取した指紋を比較して認証することにより、使用者の情報を安全に保護し、使用者が所望する情報を円滑に通信することができる人体通信の指紋認証方法を提供することにある。
【課題を解決するための手段】
【００１２】
本発明の一実施形態に従う人体通信の指紋認証方法は、人体通信装置を携帯した二人の使用者が人体接触によりデータを送受信する人体通信の指紋認証方法において、送信するデータに対して待機状態、公開情報、保護情報及び保安情報の夫々の通信モードのうち該当する１つの通信モードを選ぶ段階と、選ばれた通信モードに従って人体通信が可能か否かを確認するための通信開始知らせ信号を受信側に送信する段階と、上記通信開始知らせ信号に対する通信受諾信号を受信すると、上記選ばれた通信モードに従って指紋情報の送信又は上記受信側において行われた指紋認証結果を受信した後、上記受信側にデータを送信する段階を含んでなる。
【００１３】
上記人体通信の指紋認証方法は、上記データを既設定の保安レベルに従って指紋認証の必要のない公開情報と、指紋認証の必要な保護情報及び保安情報に類することを特徴とする。
【００１４】
上記データ送信段階は、上記選ばれた通信モードが保護情報の通信モードであれば指紋情報を上記受信側に伝送する段階、及び上記指紋情報に対する通信受諾信号を受信すると、上記受信側にデータを送信する段階を含んでなる。
【００１５】
更に、上記データ送信段階は、上記選ばれた通信モードが保安情報の通信モードであれば、現場で採取した指紋と既伝送の指紋情報を比較した指紋認証結果（真（Ｔｒｕｅ））が受信されると、上記受信側にデータを送信することを特徴とする。
【００１６】
一方、本発明の他の一実施形態に従う人体通信の指紋認証方法は、人体通信装置を携帯した二人の使用者が人体接触によりデータを送受信する人体通信の指紋認証方法において、送信側からの選ばれた通信モードの通信開始知らせ信号を受信する段階と、上記通信開始知らせ信号に対する通信受諾の可否を上記送信側へ送信する段階と、上記送信側からの選ばれた通信モードに従って受信した指紋情報に対する応答又は指紋認証を行った指紋認証結果を上記送信側に送信する段階と、上記送信側からデータを受信する段階を含んでなる。
【００１７】
上記データは、既設定の保安レベルに従って指紋認証の必要のない公開情報、指紋認証の必要な保護情報及び保安情報に分類することを特徴とする。
【００１８】
上記送信側での選ばれた通信モードは、待機状態、公開情報、保護情報及び保安情報の夫々の通信モードのうち、上記送信側から受信するデータに該当する１つの通信モードを有することを特徴とする。
【００１９】
上記送信側からの選ばれた通信モードが上記保護情報の通信モードであれば上記送信側から指紋情報を受信する段階と、上記指紋情報を保存してから上記受信した指紋情報に対する応答として通信受諾信号を上記送信側に送信する段階を含んでなる。
【００２０】
上記送信側からの選ばれた通信モードが上記保安情報の通信モードであれば現場で指紋入力窓を通じて入力される指紋を採取し、上記採取した指紋と上記受信した指紋情報を比較して上記採取した指紋の真偽を判定する段階と、判定結果が‘真（Ｔｒｕｅ）’であれば上記判定結果を上記送信側に送信する段階と、判定結果が‘偽（Ｆａｌｓｅ）’であれば上記指紋入力窓を通じて指紋入力を再要請する段階を含んでなる。
【発明の効果】
【００２１】
本発明によれば、既設定の情報の保安レベルに従ってデータを公開情報、保護情報及び保安情報に分けて、保護水準の高い保護情報及び保安情報の伝送時にのみ指紋情報の交換及び指紋認証を通じた人体通信を行うことにより、使用者が所望する情報を円滑に通信することができ、また、使用者夫々が携帯した人体通信装置に保存された指紋情報を交換し、現場で採取した指紋を互いに交換した指紋情報と比較して認証することで、使用者の情報を安全に保護するための情報の隠匿性と保護性を高める効果がある。
【図面の簡単な説明】
【００２２】
【図１】本発明の一実施形態による指紋認証を通じてデータを送受信するための人体通信装置（ＨＢＣ−Ｕｎｉｔ）の構成図である。
【図２】図１に図示された二人の使用者（主体者ＵｓｅｒＡ、対象者ＵｓｅｒＢ）の持つＨＢＣ−Ｕｎｉｔ１及び２との間で公開情報又は保護情報通信モード（Ｍ１、Ｍ２）に従ってデータを送受信するための指紋認証過程を示す説明図である。
【図３】図１に図示された二人の使用者（主体者ＵｓｅｒＡ、対象者ＵｓｅｒＢ）の持つＨＢＣ−Ｕｎｉｔ１及び２との間で保安情報の通信モードＭ３に従ってデータを送受信するための指紋認証過程を示す説明図である。
【図４】本発明の一実施形態によるデータの送信時、人体通信の指紋認証方法を示す流れ図である。
【図５】図１に図示された指紋認証を利用してデータを送受信するための人体通信装置において、指紋認証部の指紋認証過程を示す流れ図である。
【発明を実施するための形態】
【００２３】
以下、添付の図面を参照して本発明が属する技術分野において通常の知識を有する者が本発明を容易に実施することができる好ましい実施例を詳細に説明する。
【００２４】
但し、本発明の好ましい実施例に対する動作の原理を詳細に説明するにおいて、関わる公知の機能又は構成に対する具体的な説明が本発明の要旨を不必要に不明確にすることがあると判断される場合には、その詳細な説明を省く。また、図面全体にわたって類似した機能及び作用をする部分に対しては同じ図面符号を用いる。
【００２５】
なお、明細書全体において、ある部分が他の部分と‘連結’されていると記されている場合、これは‘直接的に連結’されている場合だけではなく、その間に他の素子を介して‘間接的に連結’されている場合も含んでいる。
【００２６】
また、ある構成要素を‘含む’とは、特に反対の記載がない限り、他の構成要素を除くのではなく、他の構成要素をさらに含むことができることを意味する。
【００２７】
図１は、本発明の一実施形態によってデータを送受信することにおいて、指紋認証を利用した人体通信装置（Ｈｕｍａｎ  Ｂｏｄｙ  Ｃｏｍｍｕｎｉｃａｔｉｏｎ−ｕｎｉｔと、以下‘ＨＢＣ−Ｕｎｉｔ’という）の構成図である。両使用者、即ち、主体者ＵｓｅｒＡと対象者ＵｓｅｒＢはＨＢＣ＿Ｕｎｉｔ１及び２を夫々基本的に内装した端末機を携帯する。
【００２８】
ここで二人の間の人体通信は、握手のような人体の皮膚接触（以下、‘人体接触’という）されている状態で両者の人体を通信チャンネルとし、互いが約定したデジタル・データを送受信するものと設定する。
【００２９】
また、本発明による使用者の両者間に送受信できる送信データの種類は、情報の保護水準、即ち、既設定の保安レベルに従って分類され、名刺のような公開情報、個人又は団体及び機密性が必要な会社の保護情報及び法的責任が伴う事業の契約における両者の特定約定文書（ファイル）のような保安情報がある。
【００３０】
特に、上記保安情報は、事業契約のような取引現場で判子（又は印鑑）を必要とする不動産取引、特殊商品（使用中に継続的な技術支援を必要とする場合）等の取引、そして任意の組織において特定グループのメンバーのみに許される情報等をいう。
【００３１】
従って、本発明によるＨＢＣ−Ｕｎｉｔは公開情報、保護情報及び保安情報の３種類の情報のうち保安レベルが高い保護情報及び保安情報に対して人体通信の指紋認証方法を適用する。
【００３２】
具体的に、上記保護情報に対する人体通信の指紋認証方法は、認証機関に登録して認証された同一の指紋情報を使用者の端末機内に予め保存しておき、人体通信時に両者の約定下で自身の指紋情報を夫々送受信した後に保護情報のデータを交信する。ここで、保護情報に対する指紋認証は、指紋認証書を互いに交換することのみをいう。
【００３３】
また、保安情報に対する人体通信の指紋認証方法は、例えば、人体通信時に両者の約定により個人印鑑が必要な場合、契約現場でＨＢＣ−Ｕｎｉｔに装着された指紋認証部を用いて指紋の採取及び指紋認証を行い、両者の身元及び指紋情報を確認してから、約定による保安情報のデータを交信する。
【００３４】
この際、保護情報に対する人体通信の指紋認証方法において、指紋採取が必要ない場合にも使用者自身の指紋情報を交信することは、継続的な取引の可能性がある場合の両者の約定の証拠として使用する場合である。これは人体通信の両者の立場で、取引者の管理及び信用度の蓄積等の意味を有するもので、人体通信の活用度の側面において考慮されたものである。また、本発明の活用において、個人情報及び事業情報に対する保護問題のために公開情報、保護情報、保安情報の順に通信するのが好ましいが、最初から保安情報の段階で通信することも可能である。
【００３５】
人体通信の当事者の指紋認証は、指紋を単にイメージデータで比較する従来のパターンマッチング（Ｐａｔｔｅｒｎ  Ｍａｔｃｈｉｎｇ）方式より、指紋の盗用性が低いことで知られているマニューシャ（Ｍｉｎｕｔｉａ）方式又は周波数解析法を用いた方式が好ましい。
【００３６】
上記の各指紋認識方法及び具体的な認証方法に対する説明は、本発明の技術的範囲から外れ、本発明では指紋認識の一般的な概念を適用して人体通信の認証に活用した方法に対して述べ、各指紋認識方法及び具体的な認証方法に対する詳細な説明は省く。
【００３７】
また、指紋情報は現在のインターネット金融で活用している認証書ファイルのような公認の認証機関に契約の当事者らが指紋認証書として前もって登録されているとする。
【００３８】
以下では、ＵｓｅｒＡが、ＵｓｅｒＢに対してデータを送受信するための人体通信の指紋認証過程を説明する。人体通信の使用者ＵｓｅｒＡを主体者とし、使用者ＵｓｅｒＢを対象者とする。
【００３９】
図１において、ＵｓｅｒＡとＵｓｅｒＢが持つＨＢＣ−Ｕｎｉｔ１及び２は、使用者の夫々が所有している端末機（携帯用の移動通信機器、又は動画再生機等）毎に外形的な形態は異なることはあるが、各ＵｓｅｒＡとＵｓｅｒＢは、ＨＢＣ−Ｕｎｉｔ１及び２を夫々部品装置として内装するか、独立の装置として備える。
【００４０】
そして、ＵｓｅｒＡとＵｓｅｒＢが携帯する各ＨＢＣ−Ｕｎｉｔ１及び２は、同じ構成を有するため、通信主体をＵｓｅｒＡのＨＢＣ−Ｕｎｉｔ１に設定した場合のみに対して説明する。
【００４１】
本発明によるＨＢＣ−Ｕｎｉｔ１は、スイッチ１１と、デコーダー１２と、制御部１３と、データベース１４と、物理層モデム１５と、入出力部（Ｉ／Ｏ）１６及び指紋認証部ち１７からなる。
【００４２】
ＨＢＣ−Ｕｎｉｔ１は、使用者の送信データの保安レベルに従ってスイッチ１１が選ばれ人体通信の通信モードを決定することで人体通信が開始される。
【００４３】
具体的に、スイッチ１１は、データの保護水準、即ち、保安レベルに従って公開情報、保護情報及び保安情報に分類されたデータによる通信状態と、通信をしない場合、即ち、待機状態を含む４つの状態のうち１つの状態を選ぶ。具体的に、スイッチ１１は、待機状態に“０”を、公開情報伝送に“１”を、保護情報伝送に“２”を、保安情報伝送に“３”を選ぶ。
【００４４】
即ち、スイッチ１１で選ばれる状態に従って４つの通信モードに区分し、４つの通信モードにおいて、Ｍ０（スイッチ“０”）は待機状態の通信モード、Ｍ１（スイッチ“１”）は公開情報の通信モード、Ｍ２（スイッチ“２”）は保護情報の通信モード、及びＭ３（スイッチ“３”）は保安情報の通信モードを表す。
【００４５】
デコーダー１２は、スイッチ１１で選ばれた１つの状態により信号を区分し、上記４つの通信モード（Ｍ０、Ｍ１、Ｍ２及びＭ３）のうち１つの通信モードに対応する信号を発生させる。
【００４６】
制御部１３は、デコーダー１２から伝達された通信モードに対応する入力信号に従って各構成要素を統制及び管理して通信モードによる人体通信を行うように制御する。また、制御部１３は、通信対象者との入出力信号及びデータの送受信状態を管理及び監督する。また、制御部１３は、データを受信する場合、送信側から伝送される入力信号に対応する通信モードの種類を判別し、これを人体通信装置の外部に音、又はランプ等の素子を付着して使用者に知らせることができる。以上の過程より二人の使用者の通信モードを一致させることができる。
【００４７】
データベース１４には、通信対象者との認証のために使用者自身の指紋情報のような保護情報及び保安情報を保護メモリであるＳｅｃ＿Ｄａｔ  ＤＢ１４１に保存し、自身を紹介するための名刺のような公開可能な情報は公開メモリであるＰｕｂ＿Ｄａｔ  ＤＢ１４２に保存する。
【００４８】
Ｓｅｃ＿Ｄａｔ  ＤＢ１４１は、通信対象者から受信する指紋認証書を含んだ全ての情報が保存され、使用者自身の保護情報Ｓｅｃ＿Ｄａｔとの区別は、設計するメモリの住所を分離するか、又は制御部１３からの特定住所の指定により管理が可能である。
【００４９】
指紋認証部１７は、通信対象者に対して両者の約定による相互認証のために指紋４を採取して認識し、採取した指紋と既保存された指紋情報を比較して指紋情報の真偽を判定することで指紋認証を行う。
【００５０】
物理層モデム１５は、ベースバンドのデジタル・データを人体チャンネルの雑音特性によって通信帯域を選び、拡散変調してからＨＢＣ−Ｕｎｉｔに付着された電極を通じて送信し、受信時にはアナログ回路部で雑音除去フィルタリング及びデータ・リタイミング（Ｒｅｔｉｍｉｎｇ）した後、ベースバンドを逆拡散復調してデジタル・データを得る構造である。
【００５１】
入出力部（Ｉ／Ｏ）１６は、制御部１３とバス信号線１０で連結され、物理層モデム１５に付属されている。この入出力部（Ｉ／Ｏ）１６では、ＵｓｅｒＡとＵｓｅｒＢの人体接触時３、ＨＢＣ−Ｕｎｉｔ１、２の相互通信開始／終了及び特定データの送受信の完了状態を確認する信号は、バス信号線１０を通じて制御部１３とやり取りを行う。一方、人体の皮膚に接触させる電極のようなＨＢＣ−Ｕｎｉｔの外部の付着物に対する詳細な説明は省く。
【００５２】
図２乃至図４は、本発明による図１のＨＢＣ−Ｕｎｉｔ１の人体通信環境で、データの種類による公開情報、保護情報及び保安情報の各通信モードの動作過程に対する好ましい実施例の説明図である。
【００５３】
また、実施例の説明において使用者間の人体接触は、人体通信が終了するまで持続される状態を仮定して述べる。但し、ある程度人体通信が止まる状態（指紋採取）のための待機時間等は本発明の具現の際、制御部１３で必要に合わせて設定する。
【００５４】
＜公開情報又は保護情報の伝送＞
図２は、図１に図示された二人の使用者（ＵｓｅｒＡは主体者、ＵｓｅｒＢは対象者）間のＨＢＣ−Ｕｎｉｔ１、２で公開情報又は保護情報通信モードに従ってデータを送受信するための指紋認証過程を示す説明図である。ここで、ＵｓｅｒＡの公開情報又は保護情報は、デジタル・データとしてＰｕｂ＿Ｄａｔ  ＤＢ１４２又はＳｅｃ＿Ｄａｔ  ＤＢ１４１に夫々予め保存されており、ＨＢＣ−Ｕｎｉｔ１、２は、基本的に待機状態に設定される。
【００５５】
そして、Ｐｕｂ＿Ｄａｔ  ＤＢ１４２に保存された公開情報は、自身を知らせるための名刺、事業案内又は広告のための資料であり、デジタル情報に変換されたデータである。また、Ｓｅｃ＿Ｄａｔ  ＤＢ１４１に保存されている保護情報は、自身の指紋を公認機関に登録して認証された指紋認証書と、個人又は団体及び会社の保護情報のデジタル・データのことをいう。
【００５６】
図２に図示されたように、ＵｓｅｒＡによりスイッチ１１が“１”の位置に選ばれると（Ｓ２０１）、公開情報の通信モードＭ１が開始される（Ｓ２０２）。又はＵｓｅｒＡによりスイッチ１１が“２”に選ばれると（Ｓ２０１）、保護情報の通信モードＭ２が開始される（Ｓ２０２）。
【００５７】
ＵｓｅｒＡがＵｓｅｒＢに対して人体接触３を試すと、ＵｓｅｒＡは、通信開始知らせ信号をバス信号線１０及び入出力部（Ｉ／Ｏ）１６を通じてＵｓｅｒＢに送信する（Ｓ２０３、Ｓ２０４）。
【００５８】
ＵｓｅｒＢは、通信開始知らせ信号を受信すると（Ｓ２０５）、通信受諾信号をバス信号線２０及び入出力部（Ｉ／Ｏ）２６を通じてＵｓｅｒＡに応答する（Ｓ２０６、Ｓ２０７）。
【００５９】
通信受諾信号を受信Ｓ２０８したＵｓｅｒＡは、公開情報の通信モードＭ１の場合、自身の公開情報データを物理層モデム１５に伝達し（Ｓ２０９、Ｓ２１０）、物理層モデム１５で伝送するデータに対してベースバンド変調を行った後（Ｓ２１１）、変調されたデータを、入出力部（Ｉ／Ｏ）１６を通じて伝送する（Ｓ２１２、Ｓ２１３）。即ち、公開情報の通信モードＭ１は、指紋認証過程なしでデータを伝送する。
【００６０】
一方、保護情報の通信モードＭ２の場合、通信受諾信号を受信（Ｓ２０８）したＵｓｅｒＡは、自身の指紋情報を伝送し、その応答を待つ。この際、ＵｓｅｒＢは受信した指紋情報をＳｅｃ＿Ｄａｔ  ＤＢ２４１に保存し、再び通信受諾信号を伝送する。即ち、保護情報の通信モードＭ２の指紋認証は指紋情報の伝送のみで行われる。
【００６１】
その後、ＵｓｅｒＡは通信受諾信号を受信すると、自身の保護情報データＳｅｃ＿Ｄａｔを物理層モデム１５に伝達し（Ｓ２０９、Ｓ２１０）、物理層モデム１５で伝送するデータに対してベースバンド変調を行った後（Ｓ２１１）、変調されたデータを入出力部（Ｉ／Ｏ）１６を通じて伝送する（Ｓ２１２、Ｓ２１３）。
【００６２】
入出力部（Ｉ／Ｏ）２６を通じてベースバンド変調されたデータを受信（Ｓ２１４）したＵｓｅｒＢの物理層モデム２５は、ベースバンド復調を行った後（Ｓ２１５）、復調された公開情報又は保護情報をデータベース２４のＳｅｃ＿Ｄａｔ  ＤＢ２４１に保存する（Ｓ２１７）。
【００６３】
その後、ＵｓｅｒＢの制御部２３は、受信完了信号をバス信号線２０及び入出力部（Ｉ／Ｏ）２６を通じてＵｓｅｒＡに送信する（Ｓ２１８、Ｓ２１９）。
【００６４】
若し、ＵｓｅｒＢがＵｓｅｒＡからデータをさらに必要とする場合、通信受諾信号を再び送り、再び伝送されるＵｓｅｒＡの公開情報データ又は保護情報データを受信完了した後に受信完了信号を送信する。
【００６５】
受信完了信号を入出力部（Ｉ／Ｏ）１６及びバス信号線１０を通じて受信（Ｓ２２０）したＵｓｅｒＡは、通信を終了する（Ｓ２２１）。
【００６６】
図２において、ＵｓｅｒＡから送信される信号及びデータは、制御部１３から生成される制御信号と、物理層モデム１５でベースバンド変調処理されたデータが入出力部（Ｉ／０）１６を通じて両者の人体接触３によって伝送され、受信側のＵｓｅｒＢはＵｓｅｒＡと同一のＨＢＣ−Ｕｎｉｔ装置で逆方向に物理層モデム２５を通じてベースバンド復調されたデータをＵｓｅｒＢのデータベース２４に保存する。一方、通信主体者をＵｓｅｒＢとし、対象者をＵｓｅｒＡに設定する場合は、上記の通信過程を逆方向に適用すれば、技術的問題なく十分に通信可能である。
【００６７】
＜指紋認証による保安情報の伝送＞
図３は、図１に図示された二人の使用者（ＵｓｅｒＡは主体者、ＵｓｅｒＢは対象者）間のＨＢＣ−Ｕｎｉｔ１、２で、保安情報の通信モードＭ３に従ってデータを送受信するための指紋認証過程を示す説明図である。
【００６８】
図３に図示されたように、ＵｓｅｒＡによりスイッチ１１が“３”の位置に選ばれると（Ｓ３０１）、指紋認識を通じた保安情報の通信モードＭ３が開始される（Ｓ３０２）。
【００６９】
ＵｓｅｒＡがＵｓｅｒＢに対して人体接触３を試すと、ＵｓｅｒＡは、通信開始知らせ信号をバス信号線１０及び入出力部（Ｉ／Ｏ）１６を通じてＵｓｅｒＢに送信する（Ｓ３０３、Ｓ３０４）。ＵｓｅｒＢは、通信開始知らせ信号を受信すると（Ｓ３０５）、通信受諾信号をバス信号線２０及び入出力部（Ｉ／Ｏ）２６を通じて応答する（Ｓ３０６、Ｓ３０７）。
【００７０】
通信受諾信号を受信（Ｓ３０８）したＵｓｅｒＡは、ＵｓｅｒＢのＨＢＣ−Ｕｎｉｔ２の指紋認証部２７の指紋入力窓２８に指を接触し（Ｓ３０９）、ＵｓｅｒＢの指紋認証部２７は、ＵｓｅｒＡの指紋を採取する。その後、ＵｓｅｒＢは、採取した指紋と保護情報の通信モードによりＳｅｃ＿Ｄａｔ  ＤＢ２４１に予め保存してあるＵｓｅｒＡの指紋情報（Ｓ３１０）を比較して指紋の真偽を判定する（Ｓ３１１）。ここで指紋認証部２７の指紋認証過程に対しては、図５を参照して具体的に説明する。
【００７１】
ＵｓｅｒＢは、入出力部（Ｉ／Ｏ）２６を通じて指紋認証結果をＵｓｅｒＡに伝送する（Ｓ３１２、Ｓ３１３、Ｓ３１４）。
【００７２】
指紋認証結果を受信Ｓ３１５したＵｓｅｒＡは、自身の保安情報データを物理層モデム１５に伝達し（Ｓ３１６、Ｓ３１７）、物理層モデム１５は、伝送するデータに対してベースバンド変調を行った後（Ｓ３１８）、入出力部（Ｉ／Ｏ）１６及び人体接触を通じて変調されたデータを伝送する（Ｓ３１９、Ｓ３２０）。
【００７３】
入出力部（Ｉ／Ｏ）２６を通じてベースバンド変調されたデータを受信（Ｓ３２１）したＵｓｅｒＢの物理層モデム２５は、ベースバンド復調を行った後（Ｓ３２２）、復調された保安情報をデータベース２４のＳｅｃ＿Ｄａｔ  ＤＢ２４１に保存する（Ｓ３２３、Ｓ３２４）。
【００７４】
それから、ＵｓｅｒＢは、受信完了信号をバス信号線２０及び入出力部（Ｉ／Ｏ）２６を通じてＵｓｅｒＡに送信する（Ｓ３２５、Ｓ３２６）。
【００７５】
受信完了信号を入出力部（Ｉ／Ｏ）１６及びバス信号線１０を通じて受信したＵｓｅｒＡは、通信を終了する（Ｓ３２７、Ｓ３２８）。
【００７６】
図３において、ＵｓｅｒＡからの送信信号及びデータは、図２に示した上記公開情報又は保安情報の通信モードにおいて述べた送受信方法と同一である。一方、通信主体者をＵｓｅｒＢとし、対象者をＵｓｅｒＡと設定する場合は、上記の通信過程を逆方向に適用すれば、技術的問題なく十分に通信可能である。
【００７７】
図４は、本発明の一実施形態によるデータを送信するための人体通信の指紋認証方法を示した流れ図である。
【００７８】
図４を参照すると、情報の既設定の保安レベルに従って分類されたデータの種類によってスイッチ１１の状態が選ばれ、選ばれた状態に対応する通信モードが選ばれる（Ｓ４０１）。
【００７９】
スイッチ１１の状態は、“０”、“１”、“２”及び“３”に区分され、各状態による動作モードは、待機状態Ｍ０、公開情報の通信モードＭ１、保護情報の通信モードＭ２及び保安情報の通信モードＭ３である。
【００８０】
本発明によるＨＢＣ−Ｕｎｉｔは、基本的に待機状態Ｍ０であり、後にＳ４０１段階において該当する通信モードが選ばれる。
【００８１】
この際、該当する通信モードがＭ１の場合（Ｓ４０２）、主体者ＵｓｅｒＡのＨＢＣ−Ｕｎｉｔ１は、通信開始知らせ信号を対象者に人体接触を通じて伝送する（Ｓ４０５）。
【００８２】
それから、主体者ＵｓｅｒＡが対象者ＵｓｅｒＢから通信受諾信号を受信すると（Ｓ４０６）、主体者ＵｓｅｒＡのＨＢＣ−Ｕｎｉｔ１は、送信するデータをベースバンド変調を行った後、対象者に伝送する（Ｓ４０７）。
【００８３】
一方、該当する通信モードがＭ２の場合（Ｓ４０３）、主体者ＵｓｅｒＡのＨＢＣ−Ｕｎｉｔ１は、通信開始知らせ信号を対象者に人体接触を通じて伝送する（Ｓ４０５）。
【００８４】
それから、主体者ＵｓｅｒＡが対象者ＵｓｅｒＢから通信受諾信号を受信すると（Ｓ４０６）、対象者ＵｓｅｒＢに指紋情報を伝送する（Ｓ４１１）。対象者ＵｓｅｒＢから通信受諾信号を受信すると（Ｓ４１２）、主体者ＵｓｅｒＡのＨＢＣ−Ｕｎｉｔ１は、送信するデータをベースバンド変調を行った後、対象者に伝送する（Ｓ４０７）。
【００８５】
それから、伝送した公開情報又は保護情報の受信完了信号を対象者ＵｓｅｒＢから受信されると（Ｓ４０８、はい）、通信を終了する（Ｓ４０９）。一方、受信完了信号が受信されないと（Ｓ４０８、いいえ）、データの再伝送要請信号が受信されたか否かを確認する（Ｓ４１０）。
【００８６】
Ｓ４１０段階の確認結果、再伝送要請信号が受信されると（Ｓ４１０、はい）、Ｓ４０７段階を再び行う。
【００８７】
一方、該当する通信モードがＭ３の場合（Ｓ４０４）、主体者ＵｓｅｒＡが対象者ＵｓｅｒＢから通信受諾信号を受信すると（Ｓ４０６）、主体者ＵｓｅｒＡは、対象者ＵｓｅｒＢが携帯している人体通信装置ＨＢＣ−Ｕｎｉｔに内装されている指紋認証部２７の指紋入力窓２８に指紋の接触を行う（Ｓ４１３）。
【００８８】
この際、対象者ＵｓｅｒＢは、保護情報の通信モードＭ２により主体者ＵｓｅｒＡの指紋情報を予め伝送を受けて保存した状態である。それから、保安情報の通信モードＭ３が開示されると、人体通信の両者の事前約定による取引契約の現場で判子（又は印鑑）の使用の代わりに、採取した指紋を既に保存されている主体者ＵｓｅｒＡの指紋情報と比較して指紋認証を行い、採取した指紋の真偽を判定する。それから、判定結果を主体者ＵｓｅｒＡに伝送する。
【００８９】
主体者ＵｓｅｒＡは対象者ＵｓｅｒＢから指紋の真偽の判定に対する結果を受信し、指紋が認証されないと（Ｓ４１４、いいえ）指紋の接触を行い（Ｓ４１５）、指紋が認証されると（Ｓ４１４、はい）、上記のようにＳ４０７乃至Ｓ４１０段階を行って通信を終了する。
【００９０】
図５は、図１に図示されたデータを送受信することにおいて、指紋認証を利用した人体通信装置において、指紋認証部の指紋認証過程を示す流れ図である。
【００９１】
図５に示したように、対象者ＵｓｅｒＢは、保護情報の通信モードＭ２により主体者ＵｓｅｒＡの公認登録された指紋認証書を受信する（Ｓ５０１）。
【００９２】
その後、保安情報の通信モードＭ３が開始されると、人体通信経路ではない対象者ＵｓｅｒＢのＨＢＣ−Ｕｎｉｔ２の指紋入力窓２８に主体者ＵｓｅｒＡの指が接触されるとき、指紋を採取する（Ｓ５０２）。この際、対象者ＵｓｅｒＢの指紋比較モジュール２９では、採取した現場の指紋データと受信した指紋情報を対照して比較する（Ｓ５０３）。
【００９３】
指紋比較モジュールＳ５０１では、Ｓ５０３段階の比較結果である判定フラグ（Ｆｌａｇ）により採取した指紋の真偽を判定する（Ｓ５０４）。Ｓ５０４の判定結果、真（Ｔｒｕｅ）の場合は、その結果を対象者ＵｓｅｒＢの制御部２３に伝達し、対象者ＵｓｅｒＢの制御部２３は、指紋認識成功による結果をＵｓｅｒＡのＨＢＣ−Ｕｎｉｔ１に知らせる（Ｓ５０５）。Ｓ５０４の判定結果が偽（Ｆａｌｓｅ）の場合は、指紋の再入力を要請してＳ５０６指紋入力窓２８で指紋採取を再び行う（Ｓ５０２）。本発明の具現の側面において、指紋再入力要請（Ｓ５０６）は、人体通信装置の外部に音又はランプ等の素子を付着して使用者に知らせることができる。また、指紋再入力要請は、ＵｓｅｒＡが同一人物であるにも関わらず採取された指紋の状態によって一致しない場合に備えたもので、他人の意図的な指紋接触の試し防止及び保安のために本発明の具現の側面において再び試すことの回数を制限することが好ましい。
【００９４】
一方、両者の約定下で主体者ＵｓｅｒＡがさらに契約書のような文書ファイル・データの伝送が必要な場合、保安情報の通信モードＭ３を通じて伝送し、主体者ＵｓｅｒＡの伝送が完了すると対象者ＵｓｅｒＢは、受信完了信号を主体者ＵｓｅｒＡに伝送する。
【００９５】
上記の指紋認識過程を通じて契約当事者の身元やその契約の証拠を交換するようになる。そして、指紋を採取及び認識してデジタル・データのファイルに生成する過程は、既存の指紋認識技術及び認証書作成技術を適用すれば可能であり、これに対する詳細な説明は省く。但し、本発明のＨＢＣ−Ｕｎｉｔでは、採取した指紋を制御部１３及び２３で既指紋認証書と同様の技法を適用して指紋認証書を作成し、指紋認証部１７及び２７で認証する必要がある。
【００９６】
本発明において、人体通信の主体者及び対象者を共に人と設定しているが、特に、通信対象者がＩＴ機器の場合、通信モードＭ２を適用すると指紋認証を通じて人体通信によるＩＴ・通信機器のアフターサービス、或いは使用者の所望する取引が拡張可能である。
【００９７】
以上、本発明の実施例に対して詳細に説明したが、本発明の権利範囲はこれに限定されるものではなく、下記の請求範囲により定義している本発明の基本概念を用いた当業者の様々な変形及び改良形態も本発明の権利範囲に属する。
【符号の説明】
【００９８】
１，２  ＨＢＣ−Ｕｎｉｔ
３  人体接触
４  指紋
１０，２０  バス信号線
１１，２１  スイッチ
１２，２２  デコーダー
１３，２３  制御部
１４，２４  データベース
１４１，２４１  Ｓｅｃ＿Ｄａｔ  ＤＢ
１４２，２４２  Ｐｕｂ＿Ｄａｔ  ＤＢ
１５，２５  物理層モデム
１６，２６  入出力部（Ｉ／Ｏ）
１７，２７  指紋認証部
１８，２８  指紋入力窓
１９，２９  指紋比較モジュール
【図１】
0005095672.tif 000002
【図２】
0005095672.tif 000003
【図３】
0005095672.tif 000004
【図４】
0005095672.tif 000005
【図５】
0005095672.tif 000006